(57)【要約】【課題】板状導光体を備えた車両用灯具において、灯具点灯時および灯具非点灯時の意匠性を高める。【解決手段】板状導光体３２として、光源からの光を第１板面３２ａに形成された複数の反射素子３２Ａｓで全反射させた後、その第２板面３２ｂから灯具前方へ向けて出射させる構成とする。その際、各反射素子３２Ａｓの表面形状を半径Ｒｓ＝Ｒ０．０１〜０．１ｍｍの凹球面状とし、かつ、互いに隣接する反射素子３２Ａｓ相互の中心間距離Ｐｓを上記凹球面の半径Ｒｓに対して５〜１５倍の値に設定する。これにより、灯具点灯時には、複数の反射素子３２Ａｓが２次元的に略均一に光って見えるようにする一方、灯具非点灯時には、反射素子３２Ａｓ相互間の素通し部の存在によって板状導光体３２に透明感を持たせるようにする。【選択図】図５
2020170698.tif 000002
【特許請求の範囲】
【請求項１】
光源と板状導光体とを備えた車両用灯具において、
上記板状導光体は、該板状導光体に入射した上記光源からの光を、該板状導光体の第１板面に形成された複数の反射素子で全反射させた後、該板状導光体の第２板面から灯具前方へ向けて出射させるように構成されており、
上記複数の反射素子は、互いに間隔をおいて２次元的に配置されており、
上記各反射素子は、半径がＲ０．０１〜０．１ｍｍの値に設定された球面状の表面形状を有しており、
互いに隣接する上記反射素子相互の中心間距離が、上記球面の半径に対して５〜１５倍の値に設定されている、ことを特徴とする車両用灯具。
【請求項２】
上記第１板面において上記複数の反射素子が形成されている反射素子形成領域は、該反射素子形成領域全体の面積に対する上記複数の反射素子の占有面積の比率が１〜１０％の値に設定されている、ことを特徴とする請求項１記載の車両用灯具。
【請求項３】
上記複数の反射素子は、正三角格子状に配置されている、ことを特徴とする請求項１または２記載の車両用灯具。
【請求項４】
上記板状導光体を三方向から囲むようにして該板状導光体の外周縁に沿って延びる棒状導光体を備えており、かつ、上記光源を複数個備えており、
上記各光源は、上記棒状導光体の複数箇所の各々において該棒状導光体に光を入射させるように配置されている、ことを特徴とする請求項１〜３いずれか記載の車両用灯具。
【請求項５】
上記棒状導光体に、上記複数の光源のうち１対の光源からの光を該棒状導光体に対して互いに逆方向から入射させる１対の光入射部が形成されている、ことを特徴とする請求項４記載の車両用灯具。
【請求項６】
上記板状導光体は、上記棒状導光体との接続部分における上記複数箇所の各々の近傍領域に、該接続部分に沿って延びる溝部が形成された構成となっている、ことを特徴とする請求項４または５記載の車両用灯具。
【請求項７】
上記溝部は、上記複数箇所の各々から離れるに従って深さが減少するように形成されている、ことを特徴とする請求項６記載の車両用灯具。
【発明の詳細な説明】
【技術分野】
【０００１】
本願発明は、板状導光体を備えた車両用灯具に関するものである。
【背景技術】
【０００２】
従来より、板状導光体に入射した光源からの光を、その第１板面に形成された複数の反射素子で全反射させた後、その第２板面から灯具前方へ向けて出射させるように構成された車両用灯具が知られている。
【０００３】
「特許文献１」には、このような車両用灯具として、板状導光体の後端面に沿って配置された複数の光源からの出射光を、その後端面から板状導光体に入射させるように構成されたものが記載されている。
【先行技術文献】
【特許文献】
【０００４】
【特許文献１】特開２０１３−１６３８６号公報
【発明の概要】
【発明が解決しようとする課題】
【０００５】
上記「特許文献１」に記載された構成を採用することにより、灯具正面視において板状導光体が略均一に発光して見えるようにすることが可能となる。
【０００６】
しかしながら、この板状導光体は、その背面側の第１板面に複数の反射素子が階段状に形成された構成となっているので、板状導光体が明るく光って見える視線方向が限られてしまう。また、この板状導光体においては、灯具非点灯時にも第１板面に形成された複数の反射素子が見えてしまう。
【０００７】
これに対し、車両用灯具として灯具点灯時および灯具非点灯時の意匠性を高めることが望まれる。
【０００８】
本願発明は、このような事情に鑑みてなされたものであって、板状導光体を備えた車両用灯具において、灯具点灯時および灯具非点灯時の意匠性を高めることができる車両用灯具を提供することを目的とするものである。
【課題を解決するための手段】
【０００９】
本願発明は、板状導光体の構成に工夫を施すことにより、上記目的達成を図るようにしたものである。
【００１０】
すなわち、本願発明に係る車両用灯具は、
光源と板状導光体とを備えた車両用灯具において、
上記板状導光体は、該板状導光体に入射した上記光源からの光を、該板状導光体の第１板面に形成された複数の反射素子で全反射させた後、該板状導光体の第２板面から灯具前方へ向けて出射させるように構成されており、
上記複数の反射素子は、互いに間隔をおいて２次元的に配置されており、
上記各反射素子は、半径がＲ０．０１〜０．１ｍｍの値に設定された球面状の表面形状を有しており、
互いに隣接する上記反射素子相互の中心間距離が、上記球面の半径に対して５〜１５倍の値に設定されている、ことを特徴とするものである。
【００１１】
上記「光源」の種類は特に限定されるものではなく、例えば発光ダイオードや白熱バルブあるいはレーザーダイオード等が採用可能である。
【００１２】
上記「板状導光体」は、該板状導光体に入射した光源からの光を、その第１板面に形成された複数の反射素子で全反射させた後、その第２板面から灯具前方へ向けて出射させるように構成されていれば、その外形形状や表面形状等の具体的な形状は特に限定されるものではない。
【００１３】
上記「球面」は、凹球面であってもよいし凸球面であってもよい。
【発明の効果】
【００１４】
本願発明に係る車両用灯具は、板状導光体に入射した光源からの光を、その第１板面に形成された複数の反射素子で全反射させた後、その第２板面から灯具前方へ向けて出射させる構成となっているが、複数の反射素子は互いに間隔をおいて２次元的に配置されており、かつ、各反射素子は球面状の表面形状を有しているので、次のような作用効果を得ることができる。
【００１５】
すなわち、各反射素子での全反射による光反射はあらゆる方向へ向けて略均等に行われるので、板状導光体を観察する際の視線方向を灯具正面視の方向から大きく変化させても、板状導光体の第１板面における反射素子形成領域（すなわち複数の反射素子が形成されている領域）が２次元的に光って見える状態を維持することができる。
【００１６】
その際、各反射素子はその表面形状を構成している球面の半径がＲ０．０１〜０．１ｍｍの値に設定されており、かつ、互いに隣接する反射素子相互の中心間距離が上記球面の半径に対して５〜１５倍の値に設定されているので、灯具点灯時には板状導光体の第１板面における反射素子形成領域が２次元的に略均一に光って見えるようにすることができ、一方、灯具非点灯時には反射素子相互間の素通し部の存在によって板状導光体に透明感を持たせることができる。そしてこれにより、車両用灯具の意匠性を灯具点灯時および灯具非点灯時のいずれにおいても高めることができる。
【００１７】
しかも、板状導光体は、灯具非点灯時には単なる透明板のように見えるが、灯具点灯時には反射素子形成領域が光って見えるので、点消灯の切換えに伴う意匠の変化に意外性を持たせることができる。
【００１８】
このように本願発明によれば、板状導光体を備えた車両用灯具において、灯具点灯時および灯具非点灯時の意匠性を高めることができる。しかも本願発明によれば、点消灯の切換えに伴う意匠の変化に意外性を持たせることができる。
【００１９】
上記構成において、さらに、板状導光体の第１板面における反射素子形成領域の構成として、該反射素子形成領域全体の面積に対する複数の反射素子の占有面積の比率が１〜１０％の値に設定された構成とすれば、灯具点灯時の明るさと灯具非点灯時の透明感との両立を図ることが容易に可能となる。
【００２０】
上記構成において、さらに、複数の反射素子が正三角格子状に配置された構成とすれば、反射素子相互間の間隔が一定となるので、灯具点灯時の均一発光機能および灯具非点灯時の透明感を最大限に高めることができる。
【００２１】
上記構成において、さらに、車両用灯具の構成として、板状導光体を三方向から囲むようにしてその外周縁に沿って延びる棒状導光体を備えた構成とするとともに光源を複数個備えた構成とした上で、各光源が棒状導光体の複数箇所の各々において該棒状導光体に光を入射させるように配置された構成とすれば、次のような作用効果を得ることができる。
【００２２】
すなわち、複数の光源からの光が板状導光体に対して棒状導光体の複数箇所から入射することとなるので、その反射素子形成領域を構成している複数の反射素子に対して多くの光を互いに異なる方向から到達させることができる。そしてこれにより、灯具点灯時に反射素子形成領域がより明るくかつより均一に光って見えるようにすることができる。
【００２３】
また、棒状導光体は板状導光体を三方向から囲むように配置されているので、板状導光体において残り一方向に位置する端面が車両用灯具の端部に位置する構成とすることが可能となる。そしてこれにより、車両用灯具を例えば車体の後端部においてバックドアやトランクリッドに隣接する位置（あるいはバックドアやトランクリッドにおいて車体に隣接する位置）等に配置することが容易に可能となり、そのレイアウトの自由度を高めることができる。
【００２４】
その際、棒状導光体に、複数の光源のうち１対の光源からの光を該棒状導光体に対して互いに逆方向から入射させる１対の光入射部が形成された構成とすれば、複数の光源から棒状導光体に入射した光を、該棒状導光体の全長にわたって略均等に導きつつ板状導光体に入射させることが容易に可能となる。そしてこれにより、光源からの光を棒状導光体に対してその端面から入射させることが困難な灯具構成となっている場合（例えば上述したように車両用灯具が車体の後端部においてバックドアやトランクリッドに隣接する位置に配置されている場合等）においても、灯具点灯時に反射素子形成領域がより一層明るくかつより一層均一に光って見えるようにすることができる。
【００２５】
上記構成において、さらに、板状導光体の構成として、棒状導光体との接続部分における上記複数箇所の各々の近傍領域に、該接続部分に沿って延びる溝部が形成されたものとすれば、次のような作用効果を得ることができる。
【００２６】
すなわち、複数の光源から棒状導光体を介して板状導光体に入射する光は、複数の光源からの光が棒状導光体に入射する複数箇所の各々の近傍領域において多くなる。このため、板状導光体の反射素子形成領域においては、上記複数箇所の各々の近傍領域が相対的に明るくなってしまう傾向がある。
【００２７】
これに対し、板状導光体として、棒状導光体との接続部分における上記複数箇所の各々の近傍領域に溝部が形成された構成とすることにより、上記近傍領域からの入射光量を絞ることができるので、反射素子形成領域が上記近傍領域において相対的に明るくなってしまうのを抑制することができ、これにより反射素子形成領域がより均一に光って見えるようにすることができる。
【００２８】
その際、上記溝部の構成として、上記複数箇所の各々から離れるに従って深さが減少するように形成されたものとすれば、反射素子形成領域がより一層均一に光って見えるようにすることができる。
【図面の簡単な説明】
【００２９】
【図１】本願発明の第１実施形態に係る車両用灯具を示す正面図
【図２】上記車両用灯具の灯具ユニットを取り出して示す正面図
【図３】上記灯具ユニットを示す側面図
【図４】（ａ）は図２のIVａ−IVａ線断面詳細図、（ｂ）は（ａ）のｂ部詳細図、（ｃ）は（ｂ）のｃ部詳細図、（ｄ）は（ｂ）のｄ部詳細図
【図５】図４（ｃ）のＶ方向矢視図
【図６】図２のVI部詳細図
【図７】上記灯具ユニットを点灯状態で示す正面図
【図８】（ａ）は本願発明の第２実施形態に係る車両用灯具の灯具ユニットを示す正面図、（ｂ）は上記第２実施形態に係る灯具ユニットを点灯状態で示す正面図
【図９】本願発明の第３実施形態に係る車両用灯具の灯具ユニットを示す正面図
【図１０】（ａ）は図９のＸａ−Ｘａ線断面詳細図、（ｂ）は上記第３実施形態の第１変形例を示す（ａ）と同様の図、（ｃ）は上記第３実施形態の第２変形例を示す（ａ）と同様の図
【図１１】上記第３実施形態の第３変形例に係る灯具ユニットを示す正面図
【図１２】（ａ）は図１１のXIIａ−XIIａ線断面詳細図、（ｂ）は図１１のXIIｂ−XIIｂ線断面詳細図、（ｃ）は図１１のXIIｃ−XIIｃ線断面詳細図
【発明を実施するための形態】
【００３０】
以下、図面を用いて、本願発明の実施の形態について説明する。
【００３１】
まず、本願発明の第１実施形態について説明する。
【００３２】
図１は、本実施形態に係る車両用灯具１０を示す正面図である。また、図２は、車両用灯具１０の灯具ユニット２０を取り出して示す正面図であり、図３は、その側面図である。
【００３３】
これらの図において、Ｘで示す方向が車両用灯具１０としての「前方」（車両としては「後方」）であり、Ｙで示す方向が「右方向」（車両としても「右方向」）であり、Ｚで示す方向が「上方向」である。これら以外の図においても同様である。
【００３４】
図１に示すように、本実施形態に係る車両用灯具１０は、車両の右後端部に配置されるテールランプとして構成されている。その際、この車両用灯具１０は、車両のバックドア（あるいはトランクリッド）に取り付けられる別の車両用灯具１００の右側に隣接して配置された状態で、車体に取り付けられるように構成されている。なお、車両用灯具１００も車両用灯具１０と略同様の構成を有している。
【００３５】
本実施形態に係る車両用灯具１０は、ランプボディ１２とその前端開口部に取り付けられた素通し状の透光カバー１４とで形成される灯室内に、灯具ユニット２０が組み込まれた構成となっている。
【００３６】
上記灯室内には、灯具正面視において灯具ユニット２０の周縁部を覆うエクステンション部材１６が配置されている。このエクステンション部材１６は、パネル状の部材として構成されており、その外周縁部においてランプボディ１２に支持されている。
【００３７】
図２および３に示すように、灯具ユニット２０は、透光部材３０と３対の光源４０Ａ１、４０Ａ２、４０Ｂ１、４０Ｂ２、４０Ｃ１、４０Ｃ２とを備えた構成となっている。
【００３８】
透光部材３０は、無色透明の樹脂製（例えばアクリル樹脂製）部材であって、板状導光体３２とこの板状導光体３２の外周縁に沿って延びる棒状導光体３４とが一体的に形成された構成となっている。
【００３９】
板状導光体３２は、１〜３ｍｍ程度の板厚（例えば２ｍｍ程度の板厚）で形成されている。この板状導光体３２は、灯具正面視において右端部が斜め上方向に傾斜した略逆台形状の外形形状を有しており、その左端部から右端部へ向けて灯具後方側に湾曲して延びるように形成されている。
【００４０】
なお、この板状導光体３２の具体的な構成については後述する。
【００４１】
棒状導光体３４は、φ４〜８ｍｍ程度の直径（例えばφ６ｍｍ程度の直径）で円柱状に形成されており、板状導光体３２を三方向から囲むようにしてその外周縁に沿って延びている。
【００４２】
具体的には、この棒状導光体３４は、板状導光体３２の上端縁に沿って延びる上部領域３４Ａと、板状導光体３２の下端縁に沿って延びる下部領域３４Ｂと、板状導光体３２の右端縁に沿って延びる側部領域３４Ｃとが連続的に形成された構成となっている。その際、側部領域３４Ｃは、その下端部から上端部へ向けて灯具後方側および右側に傾斜して延びるように形成されており、その上下両端部は上部領域３４Ａおよび下部領域３４Ｂの各々と略円弧形状に沿って滑らかに繋がっている。
【００４３】
この棒状導光体３４には、その上部領域３４Ａの左端寄りの位置に１対の光入射部３４Ａ１、３４Ａ２が形成されており、その下部領域３４Ｂの左端寄りの位置に１対の光入射部３４Ｂ１、３４Ｂ２が形成されており、その側部領域３４Ｃの上端部に１対の光入射部３４Ｃ１、３４Ｃ２が形成されている。
【００４４】
上部領域３４Ａに形成された１対の光入射部３４Ａ１、３４Ａ２は、一方の光入射部３４Ａ１が上部領域３４Ａの左端近傍部位から左上方へ向けて延びるとともに、他方の光入射部３４Ａ２が光入射部３４Ａ１から右方向に一定程度離れた中間部位から右上方へ向けて延びるように形成されている。
【００４５】
その際、各光入射部３４Ａ１、３４Ａ２は、上部領域３４Ａと滑らかに繋がるようにして略円弧状に延びており、その先端面３４Ａ１ａ、３４Ａ２ａは真上の方向に対して僅かに灯具後方側に傾斜した方向を向いている。
【００４６】
下部領域３４Ｂに形成された１対の光入射部３４Ｂ１、３４Ｂ２は、一方の光入射部３４Ｂ１が下部領域３４Ｂの左端近傍部位から左下方へ向けて延びるとともに、他方の光入射部３４Ｂ２が光入射部３４Ｂ１から右方向に一定程度離れた中間部位から右下方へ向けて延びるように形成されている。
【００４７】
その際、各光入射部３４Ｂ１、３４Ｂ２は、下部領域３４Ｂと滑らかに繋がるようにして略円弧状に延びており、その先端面３４Ｂ１ａ、３４Ｂ２ａは真下の方向に対して僅かに灯具方向側に傾斜した方向を向いている。
【００４８】
側部領域３４Ｃの上端部に形成された１対の光入射部３４Ｃ１、３４Ｃ２は、一方の光入射部３４Ｃ１が上部領域３４Ａの右端部から灯具後方へ向けて略水平方向に湾曲して延びるとともに、他方の光入射部３４Ｃ２が光入射部３４Ｃ１から下方向に一定程度離れた中間部位から灯具後方へ向けて上方向に湾曲して延びるように形成されている。
【００４９】
その際、各光入射部３４Ｃ１、３４Ｃ２は、上部領域３４Ａおよび側部領域３４Ｃの各々と滑らかに繋がるように形成されており、その先端面３４Ｃ１ａ、３４Ｃ２ａは灯具後方を向いている。
【００５０】
３対の光源４０Ａ１、４０Ａ２、４０Ｂ１、４０Ｂ２、４０Ｃ１、４０Ｃ２は、いずれも赤色発光ダイオードで構成されている。
【００５１】
１対の光源４０Ａ１、４０Ａ２は、１対の光入射部３４Ａ１、３４Ａ２の先端面３４Ａ１ａ、３４Ａ２ａの近傍において、その発光面を該先端面３４Ａ１ａ、３４Ａ２ａへ向けた状態で配置されている。そして、これら１対の光源４０Ａ１、４０Ａ２は、該光源４０Ａ１、４０Ａ２からの出射光を、１対の光入射部３４Ａ１、３４Ａ２を介して棒状導光体３４の上部領域３４Ａに対して互いに逆方向から入射させるようになっている。
【００５２】
１対の光源４０Ｂ１、４０Ｂ２は、１対の光入射部３４Ｂ１、３４Ｂ２の先端面３４Ｂ１ａ、３４Ｂ２ａの近傍において、その発光面を該先端面３４Ｂ１ａ、３４Ｂ２ａへ向けた状態で配置されている。そして、これら１対の光源４０Ｂ１、４０Ｂ２は、該光源４０Ｂ１、４０Ｂ２からの出射光を、１対の光入射部３４Ｂ１、３４Ｂ２を介して棒状導光体３４の下部領域３４Ｂに対して互いに逆方向から入射させるようになっている。
【００５３】
１対の光源４０Ｃ１、４０Ｃ２は、１対の光入射部３４Ｃ１、３４Ｃ２の先端面３４Ｃ１ａ、３４Ｃ２ａの近傍において、その発光面を該先端面３４Ｃ１ａ、３４Ｃ２ａへ向けた状態で配置されている。そして、上側に位置する光源４０Ｃ１は、該光源４０Ｃ１からの出射光を、光入射部３４Ｃ１を介して棒状導光体３４の上部領域３４Ａに入射させるとともに、下側に位置する光源４０Ｃ２は、該光源４０Ｃ２からの出射光を、光入射部３４Ｃ２を介して棒状導光体３４の側部領域３４Ｃに入射させるようになっている。
【００５４】
１対の光源４０Ａ１、４０Ａ２は共通の基板４２Ａに搭載されており、１対の光源４０Ｂ１、４０Ｂ２は共通の基板４２Ｂに搭載されており、１対の光源４０Ｃ１、４０Ｃ２は共通の基板４２Ｃに搭載されている。
【００５５】
図１に示すように、各基板４２Ａ、４２Ｂ、４２Ｃはランプボディ１２に支持されている。
【００５６】
また、透光部材３０は、その棒状導光体３４における上部領域３４Ａの２箇所および下部領域３４Ｂの１箇所に形成されたタブ部３４ａにおいて、ネジ締め等によってランプボディ１２に支持されている。
【００５７】
エクステンション部材１６は、灯具正面視において透光部材３０の板状導光体３２の略全領域と棒状導光体３４の一部領域とを露出させるように形成された開口部１６ａを有している。具体的には、この開口部１６ａは、棒状導光体３４に沿って延びるとともに板状導光体３２の左端縁近傍に沿って延びる開口形状を有している。
【００５８】
図２および３に示すように、板状導光体３２は、棒状導光体３４の内周側に隣接する第１領域３２Ａと、この第１領域３２Ａの内周側に隣接する第２領域３２Ｂと、この第２領域３２Ａの内周側に隣接する第３領域３２Ｃとを備えている。
【００５９】
第１領域３２Ａは、鉛直面に沿って帯状に延びるように形成されており、その背面側の第１板面３２ａには複数の反射素子３２Ａｓが形成されている。その際、複数の反射素子３２Ａｓは、第１領域３２Ａの幅方向の中央に位置する帯状の反射素子形成領域３２Ａ１に形成されている。第１領域３２Ａにおいて反射素子形成領域３２Ａ１の両側に位置する帯状の領域は素通し状に形成されている。
【００６０】
第２領域３２Ｂは、第１領域３２Ａの内周縁から鉛直面に対して板状導光体３２の背面側（すなわち灯具後方側および左側）に傾斜して延びるように形成されている。この第２領域３２Ｂも帯状に延びるように形成されており、その背面側の第１板面３２ａには複数の反射素子３２Ｂｓが形成されている。その際、複数の反射素子３２Ｂｓは、第２領域３２Ｂが帯状に延びる方向に関しては一定のピッチで配置されているが、その幅方向に関しては第１領域３２Ａから第３領域３２Ｃへ向かうに従ってピッチが徐々に大きくなるように配置されている。
【００６１】
第３領域３２Ｃは、鉛直面に沿って水平方向に帯状に延びるように形成されている。この第３領域３２Ｃは素通し状に形成されている。
【００６２】
そして、本実施形態に係る灯具ユニット２０においては、棒状導光体３４から板状導光体３２の第１領域３２Ａに入射した各光源４０Ａ１、４０Ａ２、４０Ｂ１、４０Ｂ２、４０Ｃ１、４０Ｃ２からの光を、その第１板面３２ａの反射素子形成領域３２Ａ１に形成された複数の反射素子３２Ａｓで全反射させた後、板状導光体３２の第２板面３２ｂから灯具前方へ向けて出射させるように構成されている。
【００６３】
その際、各光源４０Ａ１、４０Ａ２、４０Ｃ１からの出射光は、各光入射部３４Ａ１、３４Ａ２、３４Ｃ１を介して棒状導光体３４の上部領域３４Ａに入射した後、この上部領域３４Ａが延びる方向に導かれ、その導光過程で板状導光体３２の第１領域３２Ａに入射する。また、各光源４０Ｂ１、４０Ｂ２からの出射光は、各光入射部３４Ｂ１、３４Ｂ２を介して棒状導光体３４の下部領域３４Ｂに入射した後、この下部領域３４Ｂが延びる方向に導かれ、その導光過程で板状導光体３２の第１領域３２Ａに入射する。さらに、光源４０Ｃ２からの出射光は、光入射部３４Ｃ２を介して棒状導光体３４の側部領域３４Ｃに入射した後、この側部領域３４Ｃが延びる方向に導かれ、その導光過程で板状導光体３２の第１領域３２Ａに入射する。
【００６４】
図４（ａ）は、図２のIVａ−IVａ線断面詳細図である。また、図４（ｂ）は図４（ａ）のｂ部詳細図であり、図４（ｃ）は図４（ｂ）のｃ部詳細図であり、図４（ｄ）は図４（ｂ）のｄ部詳細図である。さらに、図５は図４（ｃ）のＶ方向矢視図である。
【００６５】
これらの図に示すように、第１領域３２Ａの反射素子形成領域３２Ａ１に形成された複数の反射素子３２Ａｓは、互いに等間隔をおいて２次元的に配置されている。
【００６６】
図４（ｃ）に示すように、各反射素子３２Ａｓは同一サイズの凹球面状の表面形状を有している。具体的には、各反射素子３２Ａｓは略半球面状に形成されており、その表面形状を構成している凹球面の半径Ｒｓは、Ｒｓ＝Ｒ０．０１〜０．１ｍｍ（より好ましくは０．０３〜０．０５ｍｍ（例えば０．０４ｍｍ程度））の値に設定されている。
【００６７】
また、図５に示すように、複数の反射素子３２Ａｓは正三角格子状に配置されている。その際、互いに隣接する反射素子３２Ａｓ相互の中心間距離Ｐｓは、各反射素子３２Ａｓの表面形状を構成している凹球面の半径Ｒｓに対して５〜１５倍（例えば１０倍程度）の値に設定されている。
【００６８】
そして、反射素子形成領域３２Ａ１は、該反射素子形成領域３２Ａ１全体の面積に対する複数の反射素子３２Ａｓの占有面積の比率が１〜１０％（例えば５％程度）の値に設定されている。
【００６９】
図４（ｄ）に示すように、第２領域３２Ｂに形成された各反射素子３２Ａｓは、第１領域３２Ａの反射素子形成領域３２Ａ１に形成された各反射素子３２Ａｓと同一サイズの凹球面状の表面形状を有している。
【００７０】
図６は、図２のVI部詳細図である。
【００７１】
図６および図４（ｃ）に示すように、棒状導光体３４の上部領域３４Ａから板状導光体３２の第１領域３２Ａに入射した各光源４０Ａ１、４０Ａ２、４０Ｃ１からの光は、この第１領域３２Ａにおいて互いに異なる方向に導かれ、その導光過程で、反射素子形成領域３２Ａ１に形成された複数の反射素子３２Ａｓで全反射した後、第２板面３２ｂから灯具前方へ向けて出射する。
【００７２】
その際、各反射素子３２Ａｓは凹球面状の表面形状を有しているので、該反射素子３２Ａｓでの全反射による光反射はあらゆる方向へ向けて略均等に行われる。
【００７３】
また、棒状導光体３４の上部領域３４Ａから板状導光体３２の第１領域３２Ａに入射した後、第２領域３２Ｂまで到達した各光源４０Ａ１、４０Ａ２、４０Ｃ１からの光は、この第２領域３２Ｂにおいても互いに異なる方向に導かれ、その導光過程で、第２領域３２Ｂの第１板面３２ａに形成された複数の反射素子３２Ｂｓで全反射した後、第２板面３２ｂから灯具前方へ向けて出射する。
【００７４】
図７は、灯具ユニット２０を点灯状態で示す正面図である。
【００７５】
図７に示すように、３対の光源４０Ａ１、４０Ａ２、４０Ｂ１、４０Ｂ２、４０Ｃ１、４０Ｃ２が点灯した状態にある灯具ユニット２０を灯具正面方向（すなわち車両後方）から観察したとき、その透光部材３０は、棒状導光体３４を介して板状導光体３２の第１領域３２Ａに入射した各光源４０Ａ１、４０Ａ２、４０Ｂ１、４０Ｂ２、４０Ｃ１、４０Ｃ２からの光が、その反射素子形成領域３２Ａ１に形成された複数の反射素子３２Ａｓで全反射することによって、帯状に延びる反射素子形成領域３２Ａ１がその全域にわたって略均一に光って見える。
【００７６】
また、棒状導光体３４を介して板状導光体３２の第１領域３２Ａに入射した後、第２領域３２Ｂまで到達した各光源４０Ａ１、４０Ａ２、４０Ｂ１、４０Ｂ２、４０Ｃ１、４０Ｃ２からの光が、該第２領域３２Ｂに形成された複数の反射素子３２Ｂｓで全反射することによって、帯状に延びる第２領域３２Ｂが光って見える。その際、複数の反射素子３２Ｂｓは、第２領域３２Ｂが帯状に延びる方向に関しては一定のピッチで配置されているが、その幅方向に関しては第１領域３２Ａから第３領域３２Ｃへ向かうに従ってピッチが徐々に大きくなるように配置されているので、第１領域３２Ａから第３領域３２Ｃへ向かうに従って明るさが徐々に減少する態様で光って見える。
【００７７】
次に、本実施形態の作用効果について説明する。
【００７８】
本実施形態に係る車両用灯具１０は、板状導光体３２に入射した光源４０Ａ１、４０Ａ２、４０Ｂ１、４０Ｂ２、４０Ｃ１、４０Ｃ２からの光を、その第１板面３２ａに形成された複数の反射素子３２Ａｓで全反射させた後、その第２板面３２ｂから灯具前方へ向けて出射させる構成となっているが、複数の反射素子３２Ａｓは互いに間隔をおいて２次元的に配置されており、かつ、各反射素子３２Ａｓは凹球面状の表面形状を有しているので、次のような作用効果を得ることができる。
【００７９】
すなわち、各反射素子３２Ａｓでの全反射による光反射はあらゆる方向へ向けて略均等に行われるので、板状導光体３２を観察する際の視線方向を灯具正面視の方向から大きく変化させても、板状導光体３２の第１板面３２ａにおける反射素子形成領域３２Ａ１（すなわち複数の反射素子３２Ａｓが形成されている領域）が２次元的に光って見える状態を維持することができる。
【００８０】
その際、各反射素子３２Ａｓはその表面形状を構成している凹球面の半径ＲｓがＲ０．０１〜０．１ｍｍの値に設定されており、かつ、互いに隣接する反射素子３２Ａｓ相互の中心間距離Ｐｓが上記凹球面の半径Ｒｓに対して５〜１５倍の値に設定されているので、灯具点灯時には板状導光体３２の第１板面３２ａにおける反射素子形成領域３２Ａ１が２次元的に略均一に光って見えるようにすることができ、一方、灯具非点灯時には反射素子３２Ａｓ相互間の素通し部の存在によって板状導光体３２に透明感を持たせることができる。そしてこれにより、車両用灯具１０の意匠性を灯具点灯時および灯具非点灯時のいずれにおいても高めることができる。
【００８１】
しかも、板状導光体３２は、灯具非点灯時には単なる透明板のように見えるが、灯具点灯時には反射素子形成領域３２Ａ１が光って見えるので、点消灯の切換えに伴う意匠の変化に意外性を持たせることができる。
【００８２】
このように本実施形態によれば、板状導光体３２を備えた車両用灯具１０において、灯具点灯時および灯具非点灯時の意匠性を高めることができる。しかも本実施形態によれば、点消灯の切換えに伴う意匠の変化に意外性を持たせることができる。
【００８３】
その際、本実施形態においては、板状導光体３２の第１板面３２ａにおける反射素子形成領域３２Ａ１が、該反射素子形成領域３２Ａ１全体の面積に対する複数の反射素子３２Ａｓの占有面積の比率が１〜１０％の値に設定された構成となっているので、灯具点灯時の明るさと灯具非点灯時の透明感との両立を図ることが容易に可能となる。
【００８４】
さらに本実施形態においては、複数の反射素子３２Ａｓが正三角格子状に配置されており、反射素子３２Ａｓ相互間の間隔が一定となっているので、灯具点灯時の均一発光機能および灯具非点灯時の透明感を最大限に高めることができる。
【００８５】
しかも、本実施形態に係る車両用灯具１０は、板状導光体３２を三方向から囲むようにしてその外周縁に沿って延びる棒状導光体３４を備えているとともに複数の光源４０Ａ１、４０Ａ２、４０Ｂ１、４０Ｂ２、４０Ｃ１、４０Ｃ２を備えた構成となっており、各光源４０Ａ１〜４０Ｃ２が棒状導光体３４の複数箇所の各々において該棒状導光体３４に光を入射させるように配置された構成となっているので、次のような作用効果を得ることができる。
【００８６】
すなわち、複数の光源４０Ａ１〜４０Ｃ２からの光が板状導光体３２に対して棒状導光体３４の複数箇所から入射することとなるので、その反射素子形成領域３２Ａ１を構成している複数の反射素子３２Ａｓに対して多くの光を互いに異なる方向から到達させることができる。そしてこれにより、灯具点灯時に反射素子形成領域３２Ａ１がより明るくかつより均一に光って見えるようにすることができる。
【００８７】
その際、本実施形態においては、板状導光体３２と棒状導光体３４とが透光部材３０として一体的に形成されているので、棒状導光体３４から板状導光体３２への光入射効率を高めることができる。
【００８８】
また、棒状導光体３４は板状導光体３２を三方向から囲むように配置されているので、板状導光体３２において残り一方向に位置する端面が車両用灯具１０の端部に位置する構成とすることが可能となる。そしてこれにより、本実施形態に係る車両用灯具１０のように、車両のバックドア（あるいはトランクリッド）に取り付けられる車両用灯具１００に隣接して配置された状態で、車体に取り付けられる構成とすることができ、そのレイアウトの自由度を高めることができる。
【００８９】
その際、車両用灯具１００も車両用灯具１０と略同様の構成を有しているので、両者の意匠を連続的なものとすることができる。
【００９０】
しかも、棒状導光体３４の上部領域３４Ａには、１対の光源４０Ａ１、４０Ａ２からの光を該上部領域３４Ａに対して互いに逆方向から入射させる１対の光入射部３４Ａ１、３４Ａ２が形成されているので、１対の光源４０Ａ１、４０Ａ２から棒状導光体３４の上部領域３４Ａに入射した光を、該上部領域３４Ａの全長にわたって略均等に導きつつ板状導光体３２に入射させることが容易に可能となる。また、棒状導光体３４の下部領域３４Ｂには、１対の光源４０Ｂ１、４０Ｂ２からの光を該下部領域３４Ｂに対して互いに逆方向から入射させる１対の光入射部３４Ｂ１、３４Ｂ２が形成されているので、１対の光源４０Ｂ１、４０Ｂ２から棒状導光体３４の下部領域３４Ｂに入射した光を、該下部領域３４Ｂの全長にわたって略均等に導きつつ板状導光体３２に入射させることが容易に可能となる。
【００９１】
そしてこれにより、本実施形態に係る車両用灯具１０のように、光源からの光を棒状導光体３４に対してその端面から入射させることが困難な灯具構成となっている場合においても、灯具点灯時に反射素子形成領域３２Ａ１がより一層明るくかつより一層均一に光って見えるようにすることができる。
【００９２】
さらに本実施形態においては、板状導光体３２における第１領域３２Ａの内周側に位置する第２領域３２Ｂに、凹球面状の表面形状を有する複数の反射素子３２Ｂｓが形成されているので、板状導光体３２の第１領域３２Ａを介して第２領域３２Ｂまで到達した各光源４０Ａ１、４０Ａ２、４０Ｂ１、４０Ｂ２、４０Ｃ１、４０Ｃ２からの光が、該第２領域３２Ｂの第１板面３２ａに形成された複数の反射素子３２Ｂｓで全反射することによって、帯状に延びる第２領域３２Ｂが光って見えるようにすることができる。
【００９３】
その際、複数の反射素子３２Ｂｓは、第２領域３２Ｂが帯状に延びる方向に関しては一定のピッチで配置されているが、その幅方向に関しては第１領域３２Ａから第３領域３２Ｃへ向かうに従ってピッチが徐々に大きくなるように配置されているので、第１領域３２Ａから第３領域３２Ｃへ向かうに従って明るさが徐々に減少する態様で光って見えるようにすることができ、これにより灯具点灯時の意匠性を一層高めることができる。
【００９４】
上記第１実施形態においては、複数の反射素子３２Ｂｓが、第２領域３２Ｂが帯状に延びる方向に関しては一定のピッチで配置されているものとして説明したが、第２領域３２Ｂが帯状に延びる方向に関しても第１領域３２Ａから第３領域３２Ｃへ向かうに従ってピッチが徐々に大きくなるように配置された構成を採用することも可能である。
【００９５】
上記第１実施形態においては、各反射素子３２Ａｓ、３２Ｂｓの表面形状を構成している凹球面が略半球面であるものとして説明したが、これよりも浅い球面形状を採用することも可能である。
【００９６】
上記第１実施形態においては、各反射素子３２Ａｓ、３２Ｂｓの表面形状が凹球面状であるものとして説明したが、これを凸球面状とすることも可能である。
【００９７】
上記第１実施形態においては、車両用灯具１０がテールランプである場合について説明したが、テールランプ以外にも、ストップランプ、ターンシグナルランプ、クリアランスランプ、デイタイムランニングランプ等、車両に設けられる箇所や機能にかかわらず、上記実施形態と同様の構成を採用することにより上記実施形態と同様の作用効果を得ることができる。
【００９８】
次に、本願発明の第２実施形態について説明する。
【００９９】
図８（ａ）は、本実施形態に係る車両用灯具の灯具ユニット１２０を示す正面図である。
【０１００】
図８（ａ）に示すように、本実施形態に係る灯具ユニット１２０は、板状導光体１３２と３つの光源１４０とを備えた構成となっている。
【０１０１】
板状導光体１３２は、無色透明の樹脂製（例えばアクリル樹脂製）の板状部材であって、１〜３ｍｍ程度の板厚（例えば２ｍｍ程度の板厚）で形成されている。この板状導光体１３２は、灯具正面視において横長矩形状に形成されている。
【０１０２】
この板状導光体１３２は、その背面側の第１板面１３２ａに複数の反射素子１３２ｓが形成された構成となっている。その際、第１板面１３２ａにおいて複数の反射素子１３２ｓが形成されている反射素子形成領域１３２Ａは、左右方向に一定の間隔をおいて複数箇所（具体的には４箇所）に配置されている。各反射素子形成領域１３２Ａは、右方向へ向けて折れ曲がった形状を有する帯状の領域として形成されている。
【０１０３】
複数の反射素子１３２ｓは、各反射素子形成領域１３２Ａにおいて互いに間隔をおいて２次元的に配置されている。その際、複数の反射素子１３２ｓの配置は上記第１実施形態の場合と同様であり、各反射素子１３２ｓは上記第１実施形態の各反射素子３２Ａｓと同一の形状を有している。
【０１０４】
３つの光源１４０は、いずれも赤色発光ダイオードで構成されている。これら３つの光源１４０は、板状導光体１３２の左端面１３２ｃの近傍において、その発光面を該左端面１３２ｃへ向けた状態で、上下方向に一定の間隔をおいて配置されている。そして、これら３つの光源１４０は、該光源１４０からの出射光を板状導光体１３２に対してその左端面１３２ｃから入射させるようになっている。
【０１０５】
これら３つの光源１４０は共通の基板１４２に搭載されている。
【０１０６】
板状導光体１３２に対してその左端面１３２ｃから入射した各光源１４０からの光は、この板状導光体１３２の内部を右方向へ向けて導かれ、その導光過程で、第１板面１３２ａの各反射素子形成領域１３２Ａに形成された複数の反射素子１３２ｓで全反射した後、板状導光体１３２の第２板面１３２ｂから灯具前方へ向けて出射する。その際、各反射素子１３２ｓは凹球面状の表面形状を有しているので、該反射素子１３２ｓでの全反射による光反射はあらゆる方向へ向けて略均等に行われる。
【０１０７】
図８（ｂ）は、灯具ユニット１２０を点灯状態で示す正面図である。
【０１０８】
図８（ｂ）に示すように、３つの光源１４０が点灯した状態にある灯具ユニット１２０を灯具正面方向（すなわち車両後方）から観察したとき、板状導光体１３２に入射した各光源１４０からの光が、複数箇所の反射素子形成領域１３２Ａに形成された複数の反射素子１３２ｓで全反射することによって、各反射素子形成領域１３２Ａがその全域にわたって略均一に光って見える。
【０１０９】
次に、本実施形態の作用効果について説明する。
【０１１０】
本実施形態においても、各反射素子１３２ｓでの全反射による光反射があらゆる方向へ向けて略均等に行われるので、板状導光体１３２を観察する際の視線方向を灯具正面視の方向から大きく変化させても、板状導光体１３２の第１板面１３２ａにおける各反射素子形成領域１３２Ａが２次元的に光って見える状態を維持することができる。
【０１１１】
その際、本実施形態においても、各反射素子形成領域３２Ａに形成された複数の反射素子１３２ｓは、上記第１実施形態の場合と同一配置でかつ同一形状となっているので、灯具点灯時には各反射素子形成領域１３２Ａが２次元的に略均一に光って見えるようにすることができ、一方、灯具非点灯時には反射素子１３２ｓ相互間の素通し部の存在によって板状導光体１３２に透明感を持たせることができる。そしてこれにより、灯具ユニット１２０の意匠性を灯具点灯時および灯具非点灯時のいずれにおいても高めることができる。
【０１１２】
しかも、板状導光体１３２は、灯具非点灯時には単なる透明板のように見えるが、灯具点灯時には複数箇所の反射素子形成領域１３２Ａが光って見えるので、点消灯の切換えに伴う意匠の変化に意外性を持たせることができる。
【０１１３】
次に、本願発明の第３実施形態について説明する。
【０１１４】
図９は、本実施形態に係る車両用灯具の灯具ユニット２２０を示す正面図である。
【０１１５】
図９に示すように、本実施形態に係る灯具ユニット２２０の基本的な構成は上記第１実施形態の場合と同様であるが、透光部材２３０の構成が上記第１実施形態の場合と一部異なっている。
【０１１６】
本実施形態の透光部材２３０も、上記第１実施形態の透光部材３０と同様、板状導光体２３２とその外周縁に沿って延びる棒状導光体２３４とが一体的に形成された構成となっている。
【０１１７】
棒状導光体２３４の構成は、上記第１実施形態の棒状導光体３４と全く同様である。
【０１１８】
一方、板状導光体２３２は、上記第１実施形態の板状導光体３２と同様、棒状導光体３４の内周側に隣接する第１領域２３２Ａと、その内周側に隣接する第２領域２３２Ｂと、その内周側に隣接する第３領域２３２Ｃとを備えた構成となっているが、第１領域２３２Ａにおける棒状導光体２３４との接続部分の３箇所に、該接続部分に沿って延びる溝部２３２Ａａ、２３２Ａｂ、２３２Ａｃが形成されている点で上記第１実施形態の板状導光体３２と異なっている。
【０１１９】
具体的には、溝部２３２Ａａは、棒状導光体２３４の上部領域２３４Ａの下端縁に沿って、光入射部２３４Ａ１の基端部よりも左側の位置から光入射部２３４Ａ２の基端部よりも右側の位置まで延びるように形成されている。
【０１２０】
また、溝部２３２Ａｂは、棒状導光体２３４の下部領域２３４Ｂの上端縁に沿って、光入射部２３４Ｂ１の基端部よりも左側の位置から光入射部２３４Ｂ２の基端部よりも右側の位置まで延びるように形成されている。
【０１２１】
さらに、溝部２３２Ａｃは、棒状導光体２３４の上部領域２３４Ａから側部領域２３４Ｃに回り込むコーナー部の内周縁に沿って、光入射部２３４Ｃ１の基端部よりも左側の位置から光入射部２３４Ｃ２の基端部よりも下側の位置まで延びるように形成されている。
【０１２２】
図１０（ａ）は、図９のＸａ−Ｘａ線断面詳細図である。
【０１２３】
図１０（ａ）に示すように、溝部２３２Ａｃは、板状導光体２３２の第１領域２３２Ａにおける第１および第２板面２３２ａ、２３２ｂの双方に形成されている。各溝部２３２Ａｃは、第１および第２板面２３２ａ、２３２ｂの各々の上端縁部を所定長にわたって楔状の断面形状で切り欠くことによって形成されている。
【０１２４】
これにより板状導光体２３２の第１領域２３２Ａにおける棒状導光体２３４の上部領域２３４Ａとの接続部分は、１対の溝部２３２Ａｃが形成されている部分の板厚が他の一般部分の板厚の１／３〜２／３（例えば１／２程度）の値に設定されている。
【０１２５】
他の２箇所に形成された溝部２３２Ａａ、２３２Ａｂも、溝部２３２Ａｃと同様の断面形状で形成されている。
【０１２６】
次に、本実施形態の作用効果について説明する。
【０１２７】
本実施形態の板状導光体２３２は、その第１領域２３２Ａにおける棒状導光体２３４との接続部分の３箇所に、該接続部分に沿って延びる溝部２３２Ａａ、２３２Ａｂ、２３２Ａｃが形成されているので、次のような作用効果を得ることができる。
【０１２８】
すなわち、３対の光源４０Ａ１、４０Ａ２、４０Ｂ１、４０Ｂ２、４０Ｃ１、４０Ｃ２から棒状導光体２３４を介して板状導光体２３２に入射する光は、１対の光源４０Ａ１、４０Ａ２からの光が１対の光入射部２３４Ａ１、２３４Ａ２を介して入射する位置（すなわち上部領域２３４Ａの左端寄りの位置）の近傍領域と、１対の光源４０Ｂ１、４０Ｂ２からの光が１対の光入射部２３４Ｂ１、２３４Ｂ２を介して入射する位置（すなわち下部領域２３４Ｂの左端寄りの位置）の近傍領域と、１対の光源４０Ｃ１、４０Ｃ２からの光が１対の光入射部２３４Ｃ１、２３４Ｃ２を介して入射する位置（すなわち上部領域２３４Ａから側部領域２３４Ｃに回り込むコーナー部の位置）の近傍領域において多くなる。
【０１２９】
しかしながら、本実施形態の板状導光体２３２は、その第１領域２３２Ａにおける棒状導光体２３４との接続部分の３箇所の近傍領域に、該接続部分に沿って延びる溝部２３２Ａａ、２３２Ａｂ、２３２Ａｃが形成されているので、上記３箇所の近傍領域からの第１領域２３２Ａへの入射光量を絞ることができる。
【０１３０】
したがって、反射素子形成領域２３２Ａ１が上記３箇所の近傍領域において相対的に明るくなってしまうのを抑制することができ、これにより反射素子形成領域２３２Ａ１がより均一に光って見えるようにすることができる。
【０１３１】
次に、上記第３実施形態の変形例について説明する。
【０１３２】
図１０（ｂ）、（ｃ）は、上記第３実施形態の第１および第２変形例に係る透光部材３３０、４３０の要部を示す、図１０（ａ）と同様の図である。
【０１３３】
図１０（ｂ）に示すように、第１変形例に係る透光部材３３０も、その板状導光体３３２の第１領域３３２Ａにおける第１および第２板面３３２ａ、３３２ｂの双方に、楔状の断面形状を有する溝部３３２Ａｃが上記第３実施形態の溝部２３２Ａｃと略同じ深さで形成された構成となっているが、溝部３３２Ａｃの開口幅が上記第３実施形態の溝部２３２Ａａの開口幅よりも狭くなっている。
【０１３４】
図１０（ｃ）に示すように、第２変形例に係る板状導光体４３２は、その第１領域４３２Ａにおける第１板面４３２ａにのみ溝部４３２Ａｃが形成されており第２板面４３２ｂには形成されていない構成となっている。溝部４３２Ａｃは、上記第３実施形態の溝部２３２Ａａと同様の断面形状を有しているが、その深さが溝部２３２Ａａよりも大きくなっている。
【０１３５】
第１および第２変形例いずれの構成を採用した場合においても、棒状導光体３３４、４３４の上部領域３３４Ａ、４３４Ａからの入射光によって、第１領域３３２Ａ、４３２Ａの反射素子形成領域３３２Ａ１、４３２Ａ１がより均一に光って見えるようにすることができる。
【０１３６】
図１１は、上記第３実施形態の第３変形例に係る灯具ユニット５２０を示す正面図である。また、図１２（ａ）は、図１１のXIIａ−XIIａ線断面詳細図であり、図１２（ｂ）は、図１１のXIIｂ−XIIｂ線断面詳細図であり、図１２（ｃ）は、図１１のXIIｃ−XIIｃ線断面詳細図である。
【０１３７】
図１１に示すように、本変形例に係る灯具ユニット５２０の基本的な構成は上記第３実施形態の場合と同様であるが、その透光部材５３０の板状導光体５３２の構成が上記第１実施形態の場合と一部異なっている。
【０１３８】
すなわち、本変形例の板状導光体５３２も、上記第３実施形態の板状導光体２３２と同様、第１領域５３２Ａの第１および第２板面５３２ａ、５３２ｂにおける棒状導光体５３４との接続部分の３箇所に、該接続部分に沿って延びる溝部５３２Ａａ、５３２Ａｂ、５３２Ａｃが形成された構成となっているが、各溝部５３２Ａａ、５３２Ａｂ、５３２Ａｃの断面形状が上記第３実施形態の場合と異なっている。
【０１３９】
具体的には、図１２（ａ）に示すように、１対の光源４０Ｃ１、４０Ｃ２からの光が１対の光入射部５３４Ｃ１、５３４Ｃ２を介して棒状導光体５３４に入射する位置（すなわち上部領域５３４Ａから側部領域５３４Ｃに回り込むコーナー部の位置）の近傍領域に形成された溝部５３２Ａｃは、上記第３実施形態の溝部２３２Ａｃと同じ楔形の断面形状を有しているが、図１２（ｂ）（ｃ）に示すように、上記コーナー部から離れるに従ってその深さが徐々に減少するように形成されている。
【０１４０】
図１１に示すように、１対の光源４０Ａ１、４０Ａ２からの光が１対の光入射部５３４Ａ１、５３４Ａ２を介して入射する位置（すなわち上部領域５３４Ａの左端寄りの位置）の近傍領域に形成された溝部５３２Ａａも、上記入射位置から離れるに従ってその深さが徐々に減少するように形成されており、また、１対の光源４０Ｂ１、４０Ｂ２からの光が１対の光入射部５３４Ｂ１、５３４Ｂ２を介して入射する位置（すなわち下部領域５３４Ｂの左端寄りの位置）の近傍領域に形成された溝部５３２Ａｂも、上記入射位置から離れるに従ってその深さが徐々に減少するように形成されている。
【０１４１】
本変形例の構成を採用することにより、棒状導光体５３４から板状導光体５３２の第１領域５３２Ａに入射する光の量をその全長にわたって略一定にすることができ、これにより反射素子形成領域５３２Ａ１がより均一に光って見えるようにすることができる。
【０１４２】
なお、上記各実施形態において諸元として示した数値は一例にすぎず、これらを適宜異なる値に設定してもよいことはもちろんである。
【０１４３】
また、本願発明は、上記各実施形態に記載された構成に限定されるものではなく、これ以外の種々の変更を加えた構成が採用可能である。
【符号の説明】
【０１４４】
１０、１００、１１０  車両用灯具
１２  ランプボディ
１４  透光カバー
１６  エクステンション部材
１６ａ  開口部
２０、１２０、２２０、５２０  灯具ユニット
３０、２３０、３３０、４３０、５３０  透光部材
３２、１３２、２３２、３３２、４３２、５３２  板状導光体
３２ａ、１３２ａ、２３２ａ、３３２ａ、４３２ａ、５３２ａ  第１板面
３２Ａ、２３２Ａ、３３２Ａ、４３２Ａ、５３２Ａ  第１領域
３２Ａ１、１３２Ａ、３３２Ａ１、４３２Ａ１、５３２Ａ１  反射素子形成領域
３２Ａｓ、１３２ｓ  反射素子
３２ｂ、１３２ｂ、２３２ｂ、３３２ｂ、４３２ｂ、５３２ｂ  第２板面
３２Ｂ、２３２Ｂ  第２領域
３２Ｂｓ  反射素子
３２Ｃ、２３２Ｃ  第３領域
３４、２３４、３３４、４３４、５３４  棒状導光体
３４ａ  タブ部
３４Ａ、２３４Ａ、３３４Ａ、４３４Ａ、５３４Ａ  上部領域
３４Ａ１、３４Ａ２、３４Ｂ１、３４Ｂ２、３４Ｃ１、３４Ｃ２、２３４Ａ１、２３４Ａ２、２３４Ｂ１、２３４Ｂ２、２３４Ｃ１、２３４Ｃ２、５３４Ａ１、５３４Ａ２、５３４Ｂ１、５３４Ｂ２、５３４Ｃ１、５３４Ｃ２  光入射部
３４Ａ１ａ、３４Ａ２ａ、３４Ｂ１ａ、３４Ｂ２ａ、３４Ｃ１ａ、３４Ｃ２ａ  先端面
３４Ｂ、２３４Ｂ、５３４Ｂ  下部領域
３４Ｃ、２３４Ｃ、５３４Ｃ  側部領域
４０Ａ１、４０Ａ２、４０Ｂ１、４０Ｂ２、４０Ｃ１、４０Ｃ２、１４０  光源
４２Ａ、４２Ｂ、４２Ｃ、１４２  基板
１３２ｃ  左端面
２３２Ａａ、２３２Ａｂ、２３２Ａｃ、３３２Ａｃ、４３２Ａｃ、５３２Ａａ、５３２Ａｂ、５３２Ａｃ  溝部
Ｐｓ  中心間距離
Ｒｓ  半径
【図１】
2020170698.tif 000003
【図２】
2020170698.tif 000004
【図３】
2020170698.tif 000005
【図４】
2020170698.tif 000006
【図５】
2020170698.tif 000007
【図６】
2020170698.tif 000008
【図７】
2020170698.tif 000009
【図８】
2020170698.tif 000010
【図９】
2020170698.tif 000011
【図１０】
2020170698.tif 000012
【図１１】
2020170698.tif 000013
【図１２】
2020170698.tif 000014